(57)【特許請求の範囲】
【請求項１】
ヘルメットに装着されるヘッドセット本体;
上記ヘッドセット本体に設置されたマイクおよびスピーカー;
上記ヘッドセット本体に回転動作および押し動作が可能なように設置されたジョグダイヤル。
上記ヘッドセット本体に内蔵されて、外部のブルートゥース機器とペアリングされた状態で無線通信するブルートゥースモジュール、および
上記ヘッドセット本体に内蔵されて、上記のマイクから入力された信号と、上記ジョグダイヤルの回転動作および押し操作によって入力された信号と、上記ブルートゥースモジュールから受信された信号を処理して、上記スピーカーとブルートゥースモジュールに出力する制御部;
を含み、
上記ジョグダイヤルは半球形態で成され、当該ジョグダイヤルの外面には回転の周囲に沿って複数の溝が形成されており、
上記制御部は、当該ブルートゥースヘッドセットの電源がオンに設定された状態で、上記ジョグダイヤルがペアリングの設定時間押されると、周辺の他のブルートゥースヘッドセットとペアリングのためのモードでのブルートゥースモジュールを活性化させる、
インターコム機能を持つヘルメット用ブルートゥースヘッドセット。
【請求項２】
上記ヘッドセット本体は：
上記ヘルメットに着、脱可能で、上記マイクとスピーカーが設置されるクランプユニット；および
上記クランプユニットに装着されて、上記ジョグダイアルが外側に設置されて、上記ブルートゥースモジュールと制御部が内蔵されるメインユニットを具備することを特徴とする請求項１に記載のインターコム機能を持つヘルメット用ブルートゥースヘッドセット。
【請求項３】
上記メインユニットには、上記ジョグダイヤルと組合で、または単独で、ユーザーの命令を入力するためのプッシュボタンがさらに具備されたことを特徴とする請求項２に記載のインターコム機能を持つヘルメット用ブルートゥースヘッドセット。
【請求項４】
上記メインユニットには充電ポートが具備されて、上記クランプユニットにはオーディオ入力端子が具備されたことを特徴とする請求項２に記載のインターコム機能を持つヘルメット用ブルートゥースヘッドセット。
【請求項５】
上記メインユニットは、上記クランプユニットに対して着、脱可能になったことを特徴とする請求項２に記載のインターコム機能を持つヘルメット用ブルートゥースヘッドセット。
【発明の詳細な説明】
【技術分野】
【０００１】
本発明は、ヘルメットに装着されるブルートゥースヘッドセットに関することで、運転者がハンズフリー通話をしたり、音楽を鑑賞することができるようにするヘルメット用ブルートゥースヘッドセットに関するものである。
【背景技術】
【０００２】
ヘルメット（helmet）は、運転者がオートバイ、自転車などの二輪車を運転するときの頭部、顔面を保護するために着用する。オートバイ運転時のヘルメット着用は義務化されており、自転車の運転時にも安全事故に備えて、ヘルメットを着用することをよく見ることができる。
【０００３】
しかし、運転者がヘルメットを着用して二輪車を運転するとき、携帯電話を利用して通話をする場合は、ヘルメットを着用した状態では通話が不自然である。このため、運転者は着用中のヘルメットを脱いだ後、電話をしなければならない不便さがある。また、運転中には両手がすべて自由ではできず、安全事故を防止するために、携帯電話で呼着信された場合、運転を停止した後、通話をしなければならない不便さがある。
【０００４】
このような不便さを解消するために、ヘルメットにブルートゥースヘッドセット（bluetooth headset）を装着して使用する例がある。ブルートゥースは、無線伝送技術として、ブルートゥース機器の間で音声およびデータ通信を可能にする。 ブルートゥースヘッドセットは、ブルートゥース機能を持つヘッドセットとして、運転者は、ブルートゥースヘッドセットを利用して、ヘルメットを着用した状態でも、ブルートゥース機能を持つ携帯電話で通話をすることができて、運転中でもハンズフリーで通話をすることができる。また、運転者は、ブルートゥース機能を持つオーディオ機器で再生される音楽を感想することができる。 ブルートゥースヘッドセットには、多数の入力ボタンたち、例えば電源のオン/オフボタン、通話の開始/終了ボタン、音量アップボタン、音量ダウンボタンなどが具備される。
【０００５】
ところが、従来によると、ブルートゥースヘッドセットの入力ボタンは小さくて、個々である。したがって、運転者がヘルメットを着用した状態では、目的のボタンを探りながら探すことになり、これにより、ボタンを探す時に多くの時間がかかる。この過程で、運転者は、不要なボタンを誤って押すこともできる。特に、運転者が、厚い手袋を着用しているとき、ボタンを探すことがさらに難しくなり、ボタンを誤って押す可能性も高くなる。したがって、運転者が使用するのに不便さがある。
【発明の概要】
【発明が解決しようとする課題】
【０００６】
本発明の課題は、前述の問題点を解決するためのもので、運転者がヘルメットを着用した状態で、迅速かつ正確に必要な命令を入力することができるインターコム機能を持つヘルメット用ブルートゥースヘッドセットを提供することにある。
【課題を解決するための手段】
【０００７】
上記の課題を達成するための本発明によるインターコム機能を持つヘルメット用ブルートゥースヘッドセットは、ヘルメットに装着されるヘッドセット本体；上記のヘッドセットの本体に設置されたマイクおよびスピーカー；上記のヘッドセット本体に回転操作および押し動作が可能なように設置されたジョグダイヤル；上記のヘッドセットの本体に内蔵され、外部のブルートゥース機器とペアリングされた状態で無線通信するブルートゥースモジュール；および上記のヘッドセットの本体に内蔵され、上記マイクから入力された信号や上記ジョグダイヤルの回転動作および押し動作にによって入力された信号や、上記のブルートゥースモジュールから受信された信号を処理して、上記のスピーカーやブルートゥースモジュールで出力する制御部を含む。
【発明の効果】
【０００８】
本発明によると、一つのジョグダイヤルで各種の命令をブルートゥースヘッドセットに入力することができる。したがって、従来のブルートゥースヘッドセットで各種の命令を入力するために、小さくて個別的なボタンが具備される場合よりも、運転者がヘルメットを着用した状態で、ジョグダイヤルをすばやく見つけることができて、望む命令を正確に入力することができる。特に、運転者が、厚い手袋を着用している場合、より効果的であることができる。その結果、使い便宜性がより向上することができる。
【図面の簡単な説明】
【０００９】
【図１】本発明の一実施形態によるインターコム機能を持つヘルメット用ブルートゥースヘッドセットをヘルメットに装着された状態を図示した斜視図。
【図２】図1のブルートゥースヘッドセットに関する構成図。
【図３】図1のブルートゥースヘッドセットをヘルメットに装着される例を説明するための側面図。
【図４】図1のブルートゥースヘッドセットに関する斜視図。
【図５】図4に関する分解斜視図。
【発明を実施するための形態】
【００１０】
以下添付された図面を参照して、望ましい実施例による本発明を詳細に説明することにする。
【００１１】
図1は本発明の一実施例によるインターコム機能を持つヘルメット用ブルートゥースヘッドセットをヘルメットに装着された状態を図示した斜視図であり、図2は、図1のブルートゥースヘッドセットに対する構成図である。
【００１２】
図1および図2を参照すると、ブルートゥースヘッドセット（100）は、ヘルメット（10）に装着されて、運転者がヘルメット（10）を着用した状態で、携帯電話でハンズフリー通話をしたり、オーディオ機器から再生される音楽を鑑賞したり、ナビから音声案内を受けたり、無線インターコム通話をすることができるようにする。
【００１３】
ブルートゥースヘッドセット（100）は、ヘッドセット本体（110）や、マイク（120）や、スピーカー（130）や、ジョグダイヤル（140）や、ブルートゥースモジュール（150）、および制御部（160）を含んでいる。ヘッドセット本体（110）は、ヘルメット（10）に装着され、ブルートゥースヘッドセット（100）がヘルメット（10）に支えられることができるようにする。ヘルメット（10）は、オートバイ用ヘルメットまたは自転車用ヘルメットであることができる。
【００１４】
マイク（120）やスピーカー（130）は、ヘッドセット本体（110）に設置される。マイク（120）は、運転者の音声を入力受けて制御部（160）に転送するためのものであり、スピーカ（130）は、制御部（160）から音声信号を伝達受けて、運転者に送出するためのことである。
【００１５】
ジョグダイヤル（140）は、ヘッドセット本体（110）に回転動作および押し動作ができるように設置される。ジョグダイヤル（140）の回転動作は、多様に活用されることができる。例えば、ジョグダイヤル（140）が回転動作すると、回転方向に応じて音量アップ/ダウン命令を制御部（160）で入力することができる。ジョグダイヤル（140）の押し動作も多様に活用されることができる。例えば、ジョグダイヤル（140）を押すと、通話のオン/オフ命令や、通話の開始/終了命令や、音楽の再生/停止の命令を制御部（160）で入力することができる。
【００１６】
ブルートゥースモジュール（150）は、ヘッドセット本体（110）に内蔵される。 ブルートゥースモジュール（150）は、外部のブルートゥース機器（20）とペアリングされた状態で無線通信する。 ブルートゥースモジュール（150）は、ブルートゥースヘッドセット（100）と、ブルートゥース機器（20）との間で音声およびデータ通信を可能にする。 ブルートゥース機器（20）としては、携帯電話、MP3プレーヤなどのオーディオ機器、ナビゲーション、インターコム通話が可能な他のブルートゥースヘッドセットなどであることができる。
【００１７】
制御部（160）は、ヘッドセット本体（110）に内蔵される。制御部（160）は、マイク（120）から入力された信号と、ジョグダイヤル（140）の回転動作および押し操作によって入力された信号と、ブルートゥースモジュール（150）から受信された信号を処理して、スピーカー（130）とブルートゥースモジュール（150）に出力する。制御部（160）は、電源部（101）から電源供給を受けることができる。そして、制御部（160）は、メモリ（102）にデータを貯蔵したり、メモリ（102）に貯蔵されたデータを読み取ることができる。
【００１８】
前述したように、一つのジョグダイヤルで音量アップ/ダウン命令と共に、音楽の再生/停止命令、または通話オン/オフ命令、または通話の開始/終了命令などをブルートゥースヘッドセットに入力することができる。したがって、従来のブルートゥースヘッドセットで各種の命令を入力するために、小さくて個別的なボタンなどが具備された場合よりも、運転者がヘルメットを着用した状態で、ジョグダイヤルをすばやく見つけることができ、望む命令を正確に入力することができる。特に、運転者が、厚い手袋を着用している場合、さらに効果的である。したがって、使い便宜性がより向上されることができる。
【００１９】
一方、ヘッドセット本体（110）は、図3ないし図5に図示されたように構成されることができる。図3は図1のブルートゥースヘッドセット（100）がヘルメット（10）に装着される例を説明するための側面図である。図4は、図1のブルートゥースヘッドセット（100）に関する斜視図であり、図4は図3に関する分解斜視図である。
【００２０】
図3ないし図5を参照すると、ヘッドセット本体（110）は、クランプユニット（111）とメインユニット（116）を含んでいる。クランプユニット（111）は、ヘルメット（10）に着、脱可能である。したがって、ユーザーは、クランプユニット（111）のヘルメット（10）に自由に装着したり分離したりすることができる。クランプユニット（111）は、さまざまな方法でヘルメットを着、脱可能である。
【００２１】
一例として、クランプユニット（111）は、固定プレート（112）がボルトたちで固定された構造で成されることができる。クランプユニット（111）をヘルメット（10）に装着しようとする時、ユーザーは、ボルトたちを緩めてクランプユニット（111）に対して固定プレート（112）を緩くする。続いて、クランプユニット（111）と、固定プレート（112）の間にヘルメット（10）の外部のセルを挿入して、ボルトたちを締めて固定させる。したがって、クランプユニット（111）がヘルメット（10）に装着されることができる。
【００２２】
クランプユニット（111）をルメット（10）から分離しようとする時、ユーザーは、ボルトたちを緩めて、ヘルメット（10）の外側のセルに対して固定プレート（112）を緩くする。続いて、ヘルメット（10）の外部のセルをクランプユニット（111）と、固定プレート（112）の間から抜き取る。したがって、クランプユニット（111）がヘルメット（10）から分離されることができる。別の例として、クランプユニット（111）から固定プレート（112）を完全に分離させた後、両面テープを使用して、ヘルメット（10）に付着することもできる。
【００２３】
クランプユニット（111）にマイク（120）とスピーカー（130）が設置される。マイク（120）は、ユーザーがヘルメット（10）を着用した状態で、ユーザーの口の周辺に位置するように支持台によってクランプユニット（111）と連結される。スピーカー（130）は、ユーザーがステレオで音楽を聞くことができるようにペアで具備されることができる。
【００２４】
ペアスピーカー（130）は、ユーザーがヘルメット（10）を着用した状態で、ユーザーの両耳に一つずつ位置するように、ヘルメット（10）の内側面に両面テープ等で付着されることができる。そして、スピーカー（130）たちは、ケーブルたちによってクランプユニット（111）とそれぞれ連結される。クランプユニット（111）には、オーディオ入力端子（181）が具備されることができる。したがって、ユーザーがオーディオ入力端子（181）にオーディオケーブルでオーディオ機器を連結すると、有線でも音楽を聞くことができる。
【００２５】
メインユニット（116）は、クランプユニット（111）に装着される。メインユニット（116）の内部にブルートゥースモジュール（150）と制御部（160）が搭載される。また、メインユニット（116）の外側にジョグダイヤル（140）が設置される。ジョグダイヤル（140）は、ユーザーのアクセスが容易なように、メインユニット（116）がクランプユニット（111）と向き合う面の反対側の面上に回転動作および押し動作するように設置される。ジョグダイヤル（140）は半球形態で成されて、ジョグダイヤル（140）の外面には、ユーザーの操作が容易なように、回転の周囲に沿って多数の溝たちが形成されることができる。
【００２６】
メインユニット（116）には充電ポート（182）が具備されることができる。充電ポート（182）は、電源部（101）の電源を充電するためのことである。充電ポート（182）にUSB充電ケーブルなどで充電器を連結すると、電源部（101）の電源が充電されることができる。図示していないが、ブルートゥースヘッドセット（100）が異常動作する時にリセットさせることができるリセットボタンが具備されることもできる。
【００２７】
メインユニット（116）は、クランプユニット（111）に対して着、脱可能である。ユーザーは、メインユニット（116）をクランプユニット（111）から外し、メインユニット（116）の電源を充電することができる。従って、ユーザーの便宜性が増大されることができる。メインユニット（116）は、さまざまな方法でクランプユニット（111）に着、脱可能である。
【００２８】
一例として、クランプユニット（111）は、メインユニット（116）の下の部分を支える出っ張りを持つ。メインユニット（116）の下の部分に嵌め込み突起（119）が形成され、メインユニット（116）がクランプユニット（111）の 出っ張りに上げられた状態で、嵌め込み突起（119）が差し込まれるようにクランプユニット（111）の 出っ張りに嵌め込み溝（115）が形成される。
【００２９】
クランプユニット（111）の上部に施錠ホール（114）が形成されて、メインユニット（116）の上部に施錠ホール（114）と結合または分離される施錠リング（118）が形成される。施錠リング（118）は、施錠ホール（114）を通過する際に弾性変形された後に復元されながら、施錠ホール（114）に施錠された状態を維持できる構造で成される。施錠リング（118）が施錠ホール（114）に施錠された状態で、ユーザーが施錠リング（118）を押しながら、施錠ホール（114）から抜き出すと、施錠リング（118）のロック状態が解除されることができる。
【００３０】
クランプユニット（111）とメインユニット（116）は分離が可能なので、クランプユニット（111）のマイク（120）やスピーカー（130）を、メインユニット（116）の制御部（160）に接続させるための接続手段が具備される。たとえば、メインユニット（116）は、プラグ（117）を具備して、クランプユニット（111）は、プラグ（117）を挿入させてプラグ（117）と接続するコンセント（113）を具備することができる。
【００３１】
前述のブルートゥースヘッドセット（100）は、インターコム機能を持つ。従って、二輪車の同乗者や周囲の他の二輪車の運転者がインターコムが可能な他のブルートゥースヘッドセットを着用している場合、無線インターコム通信が可能になる。
【００３２】
そして、メインユニット（116）にはジョグダイヤル（140）と組合で、または単独で、ユーザーの命令を入力するためのプッシュボタン（170）がさらに具備されることができる。図示していないが、メインユニット（116）には、プッシュボタン（170）と、ジョグダイヤル（140）の操作に伴う状況をユーザーに通知するように、表示ランプがさらに具備されることができる。プッシュボタン（170）は、ジョグダイヤル（140）と一緒にブルートゥースヘッドセット（100）の様々な作動を可能にする。たとえば、次のとおりである。
【００３３】
ジョグダイヤル（140）とプッシュボタン（170）が同時に押されると、制御部（160）は電源をオンまたはオフさせる。この時、電源をオンさせるために、ジョグダイヤル（140）やプッシュボタン（170）が同時に押される時間と、電源をオフさせるために、ジョグダイヤル（140）やプッシュボタン（170）が同時に押される時間が違うように設定されることができる。そして、制御部（160）は、電源をオンさせるときに、表示ランプの青ランプを固定点灯させて、スピーカー（130）を介して上向きにビープ音を出力させることができる。制御部（160）は、電源をオフさせるとき、表示ランプの赤ランプを固定点灯させて、スピーカー（130）を介して下向きビープ音を出力させることができる。
【００３４】
ブルートゥースヘッドセット（100）がブルートゥース機器（20）とペアリングされて、ブルートゥース機器（20）のオーディオ信号が制御部（160）に送信される状態で、ジョグダイヤル（140）が回転動作すると、制御部（160）はジョグダイヤル（140）の回転位置に応じて、スピーカー（130）に出力される音量を調節することができる。この状態で、ジョグダイヤル（140）が押された状態で回転すると、制御部（160）は、ジョグダイヤル（140）の回転方向に応じて、オーディオトラックを前進または後進させることができる。この状態で、ジョグダイヤル（140）が押されると、制御部（160）は、音楽を再生または停止させることができる。
【００３５】
ブルートゥースヘッドセット（100）の電源がオンの状態で、プッシュボタン（170）がペアリングの設定時間押されると、制御部（160）は周辺にある携帯電話、オーディオ機器、ナビゲーターのいずれかとペアリングのためにブルートゥースモジュール（150）を活性化させることができる。ペアリングの設定時間は5秒程度に設定されることができる。この時、制御部（160）は青ランプと赤ランプを交差点滅させることができて、スピーカー（130）を介して高音の連続ビープ音を出力させることができる。
【００３６】
ブルートゥースヘッドセット（100）が携帯電話とペアリングされた状態で、プッシュボタン（170）がペアリングの設定時間よりも長い時間押された後、再度押されると、制御部（160）は音声認識電話受信機能を活性化させることができる。音声認識電話受信機能を活性化された状態で、プッシュボタン（170）がペアリングの設定時間より長い時間押された後、ジョグダイヤル（140）が押されると、制御部（160）は、音声認識電話受信機能を非活性化させることができる。音声認識電話受信機能を活性化または非活性化させる時間は8秒程度に設定されることができる。この時、制御部（160）は、赤ランプを点滅させて、スピーカー（130）を介して中間音の単一のビープ音を出力させる
ことができる。
【００３７】
ブルートゥースヘッドセット（100）が携帯電話とペアリングされた状態で、プッシュボタン（170）がペアリングの設定時間より短い時間押されると、制御部（160）は携帯電話の発信、または受信モードに設定することができる。この状態で、電話がかかって来たときに、ジョグダイヤル（140）が押されると、制御部（160）は電話拒否モードに設定することができる。また、通話中にジョグダイヤル（140）が押されると、制御部（160）は携帯電話とブルートゥースヘッドセット（100）の間に通話転換が可能に設定することができる。この時、通話転換の時、制御部（160）はスピーカー（130）を介して高音の短いビープ音、または高音の長いビープ音を出力させることができる。
【００３８】
ブルートゥースヘッドセット（100）の電源がオンに設定された状態で、ジョグダイヤル（140）がペアリングの設定時間押されると、制御部（160）は周辺の他のブルートゥースヘッドセットとペアリングのためのモードでのブルートゥースモジュール（150）を活性化させることができる。ペアリングの設定時間は5秒程度に設定されることができる。この時、制御部（160）は、赤ランプを点滅させることができて、スピーカー（130）を介してダブルトーンのビープ音を出力させることができる。
【００３９】
ブルートゥースヘッドセット（100）がインターコム通信のための他のブルートゥースヘッドセットとペアリングされた状態で、ジョグダイヤル（140）がペアリングの設定時間より長い時間押された後再度押されると、制御部（160）は、音声認識のインターコム機能を活性化させることができる。音声認識のインターコム機能が活性化された状態で、ジョグダイヤル（140）がペアリングの設定時間より長い時間押された後プッシュボタン（170）が押されると、制御部（160）は音声認識のインターコム機能を非活性化させることができる。音声認識のインターコム機能を活性化または非活性化させる時間は8秒程度に設定されることができる。この時、制御部（160）は、赤ランプを固定点灯させて、スピーカー（130）を介して中間音の単一のビープ音を出力させることができる。
【００４０】
ブルートゥースヘッドセット（100）がインターコム通信のための他のブルートゥースヘッドセットとペアリングされた状態で、ジョグダイヤル（140）がペアリングの設定時間より短い時間押されると、制御部（160）はインターホンの通話の開始または終了のモードに設定することができる。
【００４１】
プッシュボタン（170）が音声認識電話受信機能を設定する時間よりも長い時間押された後、設定時間内にジョグダイヤル（140）が押されると、制御部（160）は初期状態に初期化させる。初期状態だというのは、工場出荷の時の状態である。たとえば、プッシュボタン（170）が12秒の間に押されると、制御部（160）は赤ランプを固定点灯させて、スピーカー（130）を介して高音の二重ビープ音を出力させる。この状態で、5秒以内にジョグダイヤル（140）が押されると、工場出荷状態に初期化されて、5秒以内にジョグダイヤル（140）が押されない場合は、キャンセルされて、待機状態に戻る。
【００４２】
本発明は、添付の図面に図示された一実施例を参考にして説明されたが、これは例示的なものに過ぎず、当該技術分野で通常の知識を有する者であれば、これにより多様な変形及び均等な他の実施例が可能であることを理解することができるだろう。したがって、本発明の真の保護範囲は添付の請求範囲によってのみ決めなければならない。
【産業上の利用可能性】
【００４３】
運転者がハンズフリー通話をしたり、音楽を鑑賞することができるようにするヘルメット用ブルートゥースヘッドセットに適用されることができる。
【符号の説明】
【００４４】
10：ヘルメット
20：ブルートゥース機器
110：ヘッドセット本体
111：クランプユニット
116：メインユニット
120：マイク
130：スピーカー
140：ジョグダイヤル
150：ブルートゥースモジュール
160： 制御部
170：プッシュボタン
181：オーディオ入力端子
【図１】
0005390569.tif 000002
【図２】
0005390569.tif 000003
【図３】
0005390569.tif 000004
【図４】
0005390569.tif 000005
【図５】
0005390569.tif 000006